(57)【要約】【課題】無線ＬＡＮの無線通信設定を安全かつ容易に行うこと。【解決手段】無線ＬＡＮのアクセスポイントとの無線通信を行う無線通信部６８と、アクセスポイントとの無線通信に必要な設定情報を含むパターンを投影面に投影する投影部７０と、撮影指示が入力される操作部１２と、操作部１２に撮影指示が入力されたとき、投影面上のパターンを撮影する撮影部１３０と、撮影部１３０の撮影により得られるパターンから前記設定情報を抽出する情報抽出部１１４と、情報抽出部１１４にて抽出される前記設定情報を無線通信部６８に設定する無線通信設定部１１６を備えた。【選択図】図４
2010028274.tif 000002
【特許請求の範囲】
【請求項１】
無線ＬＡＮのアクセスポイントとの無線通信を行う無線通信手段と、
前記アクセスポイントとの無線通信に必要な設定情報を含むパターンを投影面に投影する投影手段と、
撮影指示が入力される撮影指示入力手段と、
前記撮影指示入力手段に撮影指示が入力されたとき、前記投影面上の前記パターンを撮影する撮影手段と、
前記撮影手段の撮影により得られる前記パターンから前記設定情報を抽出する情報抽出手段と、
前記情報抽出手段にて抽出される前記設定情報を前記無線通信手段に設定する無線通信設定手段と、
を備えたことを特徴とする撮影装置。
【請求項２】
前記投影手段は、自動焦点合わせ用の補助光を発光するＡＦ補助光発光手段によって構成されていることを特徴とする請求項１に記載の撮影装置。
【請求項３】
前記パターンを格納する格納手段を備え、
前記投影手段は、前記格納手段に格納されている前記パターンを投影し、
前記無線通信設定手段は、前記格納手段に格納されている前記パターンと、前記撮影手段の撮影により得られる前記パターンとを照合し、両パターンが一致したときのみ、前記設定情報を前記無線通信手段に設定することを特徴とする請求項１または２に記載の撮影装置。
【請求項４】
前記パターンは、バーコードまたは二次元コードであることを特徴とする請求項１ないし３のうちいずれか１項に記載の撮影装置。
【請求項５】
発光する発光手段、撮影指示が入力される撮影指示入力手段、および、撮影を行う撮影手段を用いて、無線ＬＡＮのアクセスポイントとの無線通信を行う無線通信手段の設定を行う無線通信設定方法であって、
前記発光手段により、前記アクセスポイントとの無線通信に必要な設定情報を含むパターンを投影面に投影するステップと、
前記撮影指示入力手段に撮影指示が入力されたとき、前記撮影手段により前記投影面上の前記パターンを撮影するステップと、
前記撮影手段の撮影により得られた前記パターンから前記設定情報を抽出するステップと、
抽出された前記設定情報を前記無線通信手段に設定するステップと、
を含むことを特徴とする無線通信設定方法。
【請求項６】
発光する発光手段を備えた第１の装置と、無線ＬＡＮのアクセスポイントとの無線通信を行う無線通信手段、撮影指示が入力される撮影指示入力手段、および、撮影を行う撮影手段を備えた第２の装置とを用いて、前記第２の装置の前記無線通信手段の設定を行う無線通信設定方法であって、
前記第１の装置の前記発光手段により、前記アクセスポイントとの無線通信に必要な設定情報を含むパターンを投影面に投影するステップと、
前記第２の装置の前記撮影指示入力手段に撮影指示が入力されたとき、前記第２の撮影装置の前記撮影手段により前記投影面上の前記パターンを撮影するステップと、
前記第２の装置の前記撮影手段にて撮影された前記パターンから前記設定情報を抽出するステップと、
抽出された前記設定情報を前記第２の装置の前記無線通信手段に設定するステップと、
を含むことを特徴とする無線通信設定方法。
【請求項７】
無線ＬＡＮのアクセスポイントとの無線通信を行う無線通信手段、撮影指示が入力される撮影指示入力手段、および、撮影を行う撮影手段を備えた無線通信端末に、前記アクセスポイントとの無線通信に必要な設定情報を通知する撮影装置であって、
撮影を行う撮影手段と、
前記撮影手段による被写体の撮影前に自動焦点合わせ用の補助光を発光するＡＦ補助光発光手段と、
を備え、
前記ＡＦ補助光発光手段は、前記設定情報を含むパターンを投影面に投影する投影手段を構成していることを特徴とする撮影装置。
【発明の詳細な説明】
【技術分野】
【０００１】
本発明は、無線ＬＡＮの無線通信設定を安全かつ容易に行うことを可能にする撮影装置および無線通信設定方法に関する。
【背景技術】
【０００２】
通信ケーブルの配線が不要な無線ＬＡＮが普及してきている。また、デジタルスチールカメラ、デジタルビデオカメラ、カメラ付き携帯端末など、デジタルの画像データを取得容易な撮影装置が、一般ユーザに広まったことにより、無線ＬＡＮを利用した画像データの共有サービスへの要求が高まっている。
【０００３】
無線ＬＡＮには、中継局として機能するアクセスポイントを介して、端末同士の通信や有線ネットワークへの接続を行うインフラストラクチャ方式がある。この方式により、ユーザの自宅に限らず、駅や店内など、アクセスポイントが設置された地点で、インターネットに接続することができる。
【０００４】
特許文献１には、撮影時に利用されるストロボ光を出力するストロボ発光手段を備え、ストロボ光を発光することによりカメラからアクセスポイントにカメラの固体情報を出力し、アクセスポイントは、そのアクセスポイントに搭載されているカメラ部でストロボ光を撮影し、得られた画像データからカメラの固体情報を抽出して、通信情報を暗号化するための暗号鍵を生成する構成が開示されている。
【特許文献１】特開２００７―１１０２７６号公報
【発明の開示】
【発明が解決しようとする課題】
【０００５】
情報セキュリティの観点からは、アクセスポイントとの無線通信接続を行うごとにユーザに無線通信の設定情報をキー入力させる構成を採用することも考えられるが、無線通信の設定情報のキー入力操作はユーザにとって煩わしく、ユーザが無線ＬＡＮの利用をためらうことになる。その一方で、無線通信接続ごとの設定情報の入力操作をユーザに全くさせないで、自動的に無線通信情報の設定を行ってアクセスポイントと接続する構成も考えられるが、ユーザの意思とは無関係にアクセスポイントとの無線通信接続が完了し、アクセスポイントに接続した意識がないユーザの画像データのアップロードやダウンロードが誤って行われてしまう危険がある。
【０００６】
なお、特許文献１に記載の構成では、アクセスポイントにカメラ機能を搭載する必要がある。
【０００７】
本発明はこのような事情に鑑みてなされたもので、無線ＬＡＮの無線通信設定を安全かつ容易に行うことを可能にする撮影装置および無線通信設定方法を提供することを目的とする。
【課題を解決するための手段】
【０００８】
前記目的を達成するために、本発明は、無線ＬＡＮのアクセスポイントとの無線通信を行う無線通信手段と、前記アクセスポイントとの無線通信に必要な設定情報を含むパターンを投影面に投影する投影手段と、撮影指示が入力される撮影指示入力手段と、前記撮影指示入力手段に撮影指示が入力されたとき、前記投影面上の前記パターンを撮影する撮影手段と、前記撮影手段の撮影により得られる前記パターンから前記設定情報を抽出する情報抽出手段と、前記情報抽出手段にて抽出される前記設定情報を前記無線通信手段に設定する無線通信設定手段と、を備えたことを特徴とする撮影装置を提供する。
【０００９】
この発明によれば、ユーザは、投影されたパターンの撮影指示を入力して撮影装置にパターンの撮影を実行させるという容易な操作で、アクセスポイントとの接続を行うことを明確に意思表示することができる。その一方で、ユーザによるパターンの撮影指示の入力がない場合、すなわちアクセスポイントとの接続を行う意思表示がない場合には、アクセスポイントとの無線通信設定が行われない。このように、無線ＬＡＮの無線通信設定を安全かつ容易に行うことができる。
【００１０】
前記投影手段は、自動焦点合わせ用の補助光を発光するＡＦ補助光発光手段によって構成されている態様が、好ましい。
【００１１】
この態様によれば、自動焦点合わせ用の補助光と無線通信設定用のパターン投影とで光源が兼用できるので、装置のコストアップが抑えられる。なお、自動焦点合わせ用の補助光は、被写体（例えば花）を撮影する前に被写体に照射される光であって、本撮影時に被写体に照射される補助光（フラッシュ光）ではないので、たとえ自動焦点合わせ時に被写体に無線通信設定用のパターンが投影されたとしても、本撮影により得られる画像の品質には影響しない。また、自動焦点合わせ時に無線通信設定用のパターンを積極的に利用して自動焦点合わせを行うことで、焦点位置精度を向上させることも可能である。
【００１２】
また、前記パターンを格納する格納手段を備え、前記投影手段は、前記格納手段に格納されている前記パターンを投影し、前記無線通信設定手段は、前記格納手段に格納されている前記パターンと、前記撮影手段の撮影により得られる前記パターンとを照合し、両パターンが一致したときのみ、前記設定情報を前記無線通信手段に設定する構成が、好ましい。
【００１３】
この態様によれば、格納手段に格納されているパターンと、撮影されたパターンとが照合されて、両パターンが一致したときのみ無線通信設定が行われるので、アクセスポイントとの無線通信設定をさらに安全に行うことができる。
【００１４】
無線通信設定用のパターンとしては、バーコードまたは二次元コードが用いられる。
【００１５】
また、本発明は、発光する発光手段、撮影指示が入力される撮影指示入力手段、および、撮影を行う撮影手段を用いて、無線ＬＡＮのアクセスポイントとの無線通信を行う無線通信手段の設定を行う無線通信設定方法であって、前記発光手段により、前記アクセスポイントとの無線通信に必要な設定情報を含むパターンを投影面に投影するステップと、前記撮影指示入力手段に撮影指示が入力されたとき、前記撮影手段により前記投影面上の前記パターンを撮影するステップと、前記撮影手段の撮影により得られた前記パターンから前記設定情報を抽出するステップと、抽出された前記設定情報を前記無線通信手段に設定するステップと、を含むことを特徴とする無線通信設定方法を提供する。
【００１６】
また、本発明は、発光する発光手段を備えた第１の装置と、無線ＬＡＮのアクセスポイントとの無線通信を行う無線通信手段、撮影指示が入力される撮影指示入力手段、および、撮影を行う撮影手段を備えた第２の装置とを用いて、前記第２の装置の前記無線通信手段の設定を行う無線通信設定方法であって、前記第１の装置の前記発光手段により、前記アクセスポイントとの無線通信に必要な設定情報を含むパターンを投影面に投影するステップと、前記第２の装置の前記撮影指示入力手段に撮影指示が入力されたとき、前記第２の撮影装置の前記撮影手段により前記投影面上の前記パターンを撮影するステップと、前記第２の装置の前記撮影手段にて撮影された前記パターンから前記設定情報を抽出するステップと、抽出された前記設定情報を前記第２の装置の前記無線通信手段に設定するステップと、を含むことを特徴とする無線通信設定方法を提供する。
【００１７】
また、本発明は、無線ＬＡＮのアクセスポイントとの無線通信を行う無線通信手段、撮影指示が入力される撮影指示入力手段、および、撮影を行う撮影手段を備えた無線通信端末に、前記アクセスポイントとの無線通信に必要な設定情報を通知する撮影装置であって、撮影を行う撮影手段と、前記撮影手段による被写体の撮影前に自動焦点合わせ用の補助光を発光するＡＦ補助光発光手段と、を備え、前記ＡＦ補助光発光手段は、前記設定情報を含むパターンを投影面に投影する投影手段を構成していることを特徴とする撮影装置を提供する。
【発明の効果】
【００１８】
本発明によれば、無線ＬＡＮの無線通信設定を安全かつ容易に行うことが可能になる。
【発明を実施するための最良の形態】
【００１９】
以下、添付図面に従って、本発明の実施形態について、詳細に説明する。
【００２０】
図１は、無線ＬＡＮ通信システムを含む構成例を示すブロック図である。図１において、複数のクライアント端末８０と、アクセスポイント８１とによって、無線ＬＡＮ通信システム８２が構成されている。言い換えると、クライアント端末８０は無線ＬＡＮによってアクセスポイント８１との通信を行う構成となっている。
【００２１】
クライアント端末８０は、特に限定されないが、撮影装置（例えば図２の１００）が含まれる。撮影装置は、本明細書において、撮影機能を有し、デジタルデータからなる画像データを生成する全ての装置である。撮影装置としては、例えば、デジタルスチールカメラ、デジタルビデオカメラ、カメラ付き携帯端末が挙げられる。
【００２２】
クライアント端末８０は、アクセスポイント８１およびルータ８３を介して、外部ネットワーク８４に接続され、外部ネットワーク８４上のサーバ８５や端末８６と通信可能である。外部ネットワーク８４としては、例えば、インターネット、ＬＡＮ（Local Area Network）が挙げられる。外部ネットワーク８４は、有線のネットワークでも、無線のネットワークでもよい。
【００２３】
このような構成において、クライアント端末８０は、サーバ８５と通信することにより、外部ネットワーク８４上のデータベース８７への画像データのアップロード、および、データベース８７からの画像データのダウンロードを行うことができる。すなわち、無線ＬＡＮ通信システム８２を含んで、図１に示すような、画像データを共有する画像データ共有システムを構築できる。
【００２４】
図２は、図１のクライアント端末８０としての撮影装置１００の一例のハードウエア構成例を示すブロック図である。
【００２５】
図２において、撮影装置１００は、画像を電子的に記録するデジタルスチールカメラであり、ＣＰＵ（Central Processing Unit）１０、操作部１２、ＲＯＭ１４、ＲＡＭ１６、ＥＥＰＲＯＭ（Electrically Erasable and Programmable ROM）２０、撮影レンズ２４、撮像素子３０、タイミングジェネレータ３２、アナログ信号処理部３４、Ａ／Ｄコンバータ３６、画像入力コントローラ３８、画像信号処理部４０、圧縮／伸張処理部４２、メディアコントローラ４４、メモリカード４６、表示制御部４８、表示部５０、ＡＥ検出部５２、ＡＦ検出部５４、フラッシュ制御部５８、フラッシュ６０、電源制御部６２、バッテリ６４、手ぶれ量検出部６６、無線通信部６８、投影部７０等を備えて構成されている。
【００２６】
ＣＰＵ１０は、撮影装置１００の全体の動作を統括制御する制御手段として機能し、操作部１２からの入力に基づき所定のプログラムに従って撮影装置１００の各部を制御する。また、ＣＰＵ１０は、撮影装置１００の制御に必要な各種制御値を算出するための演算処理手段として機能し、所定のプログラムに従って各種演算処理を実行する。撮影装置１００の各部は、バス２２を介してＣＰＵ１０と接続されている。
【００２７】
ＲＯＭ１４には、このＣＰＵ１０が実行するプログラム及び制御に必要な各種データ等が格納されている。ＲＡＭ１６は、ＣＰＵ１０の作業用領域として利用されるとともに、画像データの一時記憶領域として利用される。また、ＥＥＰＲＯＭ２０には、各種の設定情報等が格納される。
【００２８】
操作部１２は、電源ボタン、レリーズボタン、ズームボタン、モード切替スイッチ、メニューボタン、十字ボタン、実行ボタン、取消ボタン等の各種操作手段で構成され、これら操作手段の操作に応じた信号をＣＰＵ１０に出力する。
【００２９】
なお、本例のレリーズボタンは、いわゆる半押しと全押しが可能な二段ストローク式の押下ボタンで構成される。撮影装置１００は、このレリーズボタンが半押しされると、自動露出（以下「ＡＥ」という場合もある）、オートフォーカス(以下「ＡＦ」という場合もある)等の撮影準備の処理を行い、全押しされると、本撮影の処理を行う。すなわち、半押しでオートフォーカス指示の入力、全押しで撮影指示の入力を行う。
【００３０】
また、撮影装置１００の各種設定は、表示部５０の表示を利用して行われる。例えば、メニューボタンが押されると、撮影装置１００の各種設定を行うための設定画面が表示部５０に表示される。ユーザは、この表示部５０の画面表示に従い、十字ボタンや実行ボタン、取消ボタンを操作して、撮影装置１００の各種設定を行う。
【００３１】
また、撮影装置１００は、画像を撮影する撮影機能に加えて、撮影した画像を再生する再生機能を備えており、この撮影と再生のモードの切り替えが、モード切替スイッチによって行われる。
【００３２】
撮影レンズ２４は、ズームを行うズームレンズ２４ｚと、焦点合わせを行うフォーカスレンズ２４ｆと、光量調節を行う絞り２４ｉを含んで構成される。
【００３３】
ズームレンズ２４ｚは、ズームモータ２６ｚに駆動されて、光軸上を前後移動する。これにより、撮像素子３０の受光面上に結像される被写体像が光学的に変倍される。ＣＰＵ１０は、ズームモータドライバ２８ｚを介してズームモータ２６ｚの駆動を制御することにより、ズームレンズ２４ｚの移動を制御し、ズームを制御する。
【００３４】
フォーカスレンズ２４ｆは、フォーカスモータ２６ｆに駆動されて、光軸上を前後移動する。これにより、焦点合わせが行われる。ＣＰＵ１０は、フォーカスモータドライバ２８ｆを介してフォーカスモータ２６ｆの駆動を制御することにより、フォーカスレンズ２４ｆの移動を制御し、焦点合わせを行う。
【００３５】
絞り２４ｉは、例えば、アイリス絞りで構成され、アイリスモータ２６ｉに駆動されて、その開口量（絞り値）が変化する。ＣＰＵ１０は、アイリスモータドライバ２８ｉを介してアイリスモータ２６ｉの駆動を制御することにより、絞り２４ｉの開口量を制御し、撮像素子３０の受光面に入射する被写体光の光量を制御する。
【００３６】
撮像素子３０は、ＲＧＢ所定のカラーフィルタ配列のカラーＣＣＤで構成されており、タイミングジェネレータ（ＴＧ）３２に駆動されて動作する。すなわち、タイミングジェネレータ３２から与えられる駆動パルスによって、各画素（フォトセンサ）に蓄積された信号電荷を読み出し、画像信号として出力する。ＣＰＵ１０は、このタイミングジェネレータ３２の駆動を制御することにより、撮像素子３０の電荷蓄積時間（シャッタスピード）、画像信号の読み出しを制御する。
【００３７】
アナログ信号処理部３４は、撮像素子３０から出力されたアナログの画像信号に対して相関二重サンプリング処理を行い、増幅して出力する。
【００３８】
Ａ／Ｄコンバータ３６は、アナログ信号処理部３４から出力されたアナログの画像信号をデジタルの画像信号に変換して出力する。
【００３９】
画像入力コントローラ３８は、所定容量のラインバッファを内蔵しており、ＣＰＵ１０の制御の下、Ａ／Ｄコンバータ３６から出力された１コマ分の画像信号を取り込んで、ＲＡＭ１６に格納する。
【００４０】
画像信号処理部４０は、ＣＰＵ１０による制御の下、ＲＡＭ１６に格納された画像信号を取り込み、所要の信号処理を施して、輝度信号（Ｙ）と色差信号（Ｃｒ，Ｃｂ）とからなる画像信号（Ｙ／Ｃ信号）を生成する。
【００４１】
圧縮／伸張処理部４２は、ＣＰＵ１０による制御の下、画像信号（Ｙ／Ｃ信号）を取り込み、所定の圧縮処理を施して、圧縮画像データ（例えば、ＪＰＥＧ）を生成する。また、ＣＰＵ１０による制御の下、圧縮画像データを取り込み、所定の伸張処理を施して、非圧縮の画像信号（Ｙ／Ｃ信号）を生成する。
【００４２】
メディアコントローラ４４は、ＣＰＵ１０による制御の下、メモリカード４６にデータを読み／書きする。例えば、ＣＰＵ１０からの記録指示に応じて、撮影により得られた画像データをメモリカード４６に記録する。また、ＣＰＵ１０からの読み出し指示に応じて、メモリカード４６から該当する画像データを読み出す。メモリカード４６は、撮影装置本体に設けられたカードスロットに着脱自在に装填される。
【００４３】
表示制御部４８は、ＣＰＵ１０による制御の下、表示部５０の表示を制御する。すなわち、画像信号（Ｙ／Ｃ信号）をＲＡＭ１６から取り込み、表示用の信号形式に変換して、表示部５０に出力する。また、その画像信号に所定の文字、図形、記号等の情報をスーパーインポーズして出力する。
【００４４】
表示部５０は、例えば、カラーＬＣＤで構成される。この表示部５０は、再生モード時に撮影済み画像の再生表示部として使用されるほか、撮影モード時に撮像素子３０で捉えた画像がスルー表示され、電子ファインダとして使用される。
【００４５】
ＡＥ検出部５２は、ＣＰＵ１０による制御の下、ＲＡＭ１６に格納されたＲ、Ｇ、Ｂの画像信号を取り込み、ＡＥ制御に必要な積算値を算出する。本実施の形態の撮影装置１００では、１画面を複数のエリア（例えば８×８）に分割し、分割したエリアごとにＲ、Ｇ、Ｂごとの画像信号の積算値を算出する。ＡＥ制御時、ＣＰＵ１０は、このＡＥ検出部５２から得た積算値に基づいて撮影シーンの明るさを求め、絞り値とシャッタスピードを決定する（例えば、プログラム線図を利用して決定する）。
【００４６】
ＡＦ検出部５４は、ＣＰＵ１０による制御の下、ＲＡＭ１６に格納されたＲ、Ｇ、Ｂの画像信号を取り込み、ＡＦ制御に必要なＡＦ評価値を算出する。このＡＦ検出部５４は、Ｇ信号の高周波成分のみを通過させるハイパスフィルタ、絶対値化処理部、画面に設定された所定のフォーカスエリア内の信号を切り出すフォーカスエリア抽出部、及び、そのフォーカスエリア内の絶対値データを積算する積算部を含み、積算部で積算されたフォーカスエリア内の絶対値データをＡＦ評価値としてＣＰＵ１０に出力する。ＡＦ制御時、ＣＰＵ１０は、フォーカスレンズ２４ｆを至近から無限遠に移動させ、小刻みにＡＦ評価値を取得して、そのピーク位置を合焦位置（主要被写体に合焦するフォーカスレンズ２４ｆの位置）として検出する焦点検出処理を行う。そして、検出された合焦位置にフォーカスレンズ２４ｆを移動させる。
【００４７】
フラッシュ制御部５８は、ＣＰＵ１０による制御の下、フラッシュ６０の発光を制御する。すなわち、ＣＰＵ１０から指示された発光タイミング、発光量でフラッシュ６０を発光させる。
【００４８】
フラッシュ６０としては、例えば、キセノン管、ＬＥＤなどによって構成する。
【００４９】
電源制御部６２は、ＣＰＵ１０からの指令に従い、装置本体に装填されたバッテリ６４から撮影装置１００の各部への電源の供給を制御する。
【００５０】
手ぶれ量検出部６６は、手ぶれ量を検出する。例えば、角速度センサを用いて手ぶれ量を検出する。撮像素子３０によって得られた画像信号から動きベクトルを検出することにより手ぶれ量を検出するようにしてもよい。
【００５１】
無線通信部６８は、アクセスポイント（図１の８１）と無線通信を行う手段である。通信方式としては、例えばＩＥＥＥ８０２．１１が挙げられる。通信方式は特に限定されない。
【００５２】
投影部７０は、任意の面（投影面）にコードパターンを投影する手段である。
【００５３】
コードパターンは、数字、文字、記号などの情報がコード化されたパターンである。コードパターンとしては、一方向に表示された一次元コード（バーコード）、水平方向および垂直方向の二方向に表示された二次元コードが挙げられる。二次元コードには、一次元バーコードを上下に複数重ねて構成されるスタック型、小さな正方形を上下左右に配列させて構成されるマトリクス型などがある。マトリクス型の二次元コードとしては、ＱＲコード（登録商標）が普及しており、これを用いてよい。
【００５４】
また、投影部７０は、自動焦点合わせ用の補助光を発光するＡＦ補助光発光手段として兼用される。具体的には、操作部１２にオートフォーカス指示が入力されたとき、あるいは、ＣＰＵ１０によってオートフォーカスが必要と判断されたとき、投影部７０が発光し、ＡＦ検出部５４によりフォーカスレンズ２４ｆの焦点位置が検出される。
【００５５】
投影部７０の光源としては、例えばＬＥＤ（発光ダイオード）を用いる。
【００５６】
投影部７０の態様には各種ある。図３（Ａ）〜（Ｃ）を用いて、投影部７０の例を説明する。
【００５７】
図３（Ａ）は、光源７１と、液晶パネル７２と、液晶パネル７２を駆動する液晶ドライバ７３を含んで構成されるパターン描画型の投影部７０を示す。本例では、ＣＰＵ１０から液晶ドライバ７３にコードパターンがデジタルデータとして入力されると、液晶パネル７２にコードパターンが描画される。液晶パネル７２に描画されたコードパターンは、光源７１から発光される光により、投影面１７２に投影される。
【００５８】
図３（Ｂ）は、光源７１と、コードパターンが予め印刷された透光性のパネル７６（パターンパネル）とを含んで構成されるパターン固定型の投影部７０を示す。パターンパネル７６のコードパターンは、光源７１から発光される光により、投影面１７２に投影される。
【００５９】
図３（Ｃ）に示すように、パターンパネル７６を移動させるパネル移動機構７７を設けてもよい。パネル移動機構７７は、ＣＰＵ１０の制御により、パターンパネル７６を移動させる。具体的には、無線通信部６８に無線通信設定情報を設定する無線通信設定モードでは、図３（Ｂ）に示したように、パターンパネル７６を光源７１と投影面１７２との間に配置して、投影面１７２にパターンパネル７６のコードパターンを投影する一方で、被写体１７４を撮影する撮影モードでは、図３（Ｃ）に示すように、光源７１の光を直接に被写体１７４に照射させて、オートフォーカスを実行する。
【００６０】
投影部７０による自動焦点合わせ用の補助光発光では、本撮影前のオートフォーカスが行われ、フラッシュ６０による発光では、本撮影が行われて、得られた画像データがメモリカード４６などに記録される。
【００６１】
図３（Ａ）のようにパターン描画型の場合や、パターン固定型であっても図３（Ｃ）のようにパネル移動機構７７を設けた場合には、自動焦点合わせ時に、コードパターンを被写体に投影してしまわないようにすることができる。
【００６２】
その一方で、図３（Ｂ）のようにパターン固定型であってパネル移動機構を設けない場合には、被写体にコードパターンが投影されることになるが、その被写体に投影されたコードパターンを積極的に利用して、オートフォーカスの精度を上げることが可能である。本例の撮影装置１００のＡＦ検出部５４は、撮像素子３０による得られる撮像データの高周波成分を用いて焦点位置を検出しており、コードパターンには一般に高周波成分が含まれているので、オートフォーカスの精度が向上する。
【００６３】
なお、投影部７０は、図３に示した例には特に限定されない。例えば、レーザ光を用いてコードパターンを投影するようにしてもよい。
【００６４】
（第１実施形態）
図４は、第１実施形態の撮影装置１００の要部について機能的構成を示すブロック図である。図２に示した構成要素には、同じ符号を付してあり、既に説明した内容は、その説明を省略する。
【００６５】
操作部１２は、オートフォーカス指示、撮影指示、および、無線通信設定モードの開始指示の入力を受け付け可能である。投影部７０は、本例では、図３（Ａ）に示したパターン描画型のＡＦ補助光発光手段であり、アクセスポイント（図１の８１）との無線通信に必要な無線通信設定情報を含む二次元コードを投影面に投影する。二次元コード格納部１２０は、投影部７０にて投影される二次元コードをデータとして予め格納するメモリであり、本例では、図２のＥＥＰＲＯＭ２０によって二次元コード格納部１２０が構成されている。撮影部１３０は、撮影を行う手段であり、図２の撮影レンズ２４および撮像素子３０を含んで構成されている。撮影により得られる二次元コードはデータとしてＲＡＭ１６に一時的に格納される。
【００６６】
ＣＰＵ１０は、投影部７０を制御する投影制御部１１２と、撮影部１３０の撮影により得られる二次元コードから無線通信設定情報を抽出する情報抽出部１１４と、情報抽出部１１４にて抽出される無線通信設定情報を無線通信部６８に設定する無線通信設定部１１６を含んで構成されている。
【００６７】
投影部７０により投影される二次元コードには、コード化された無線通信設定情報が含まれている。本例では、二次元コードとして、ＱＲコード（登録商標）を用いている。すなわち、無線通信設定情報をコード化したＱＲコードがデータとして二次元コード格納部１２０に予め格納されている。
【００６８】
無線通信設定情報は、無線通信部６８によるアクセスポイント８１との通信に必要な情報である。具体例として、ＷＥＰ（Wired Equivalent Privacy）キー、ＥＳＳ−ＩＤ（Extended Service Set Identifier）等が挙げられる。これら以外の情報のみを投影および撮影してもよい。
【００６９】
図５は、第１実施形態の撮影装置１００における無線通信設定処理の一例の流れを示すフローチャートである。この処理は、操作部１２に無線通信設定モードの開始指示が入力されたとき、ＣＰＵ１０により、プログラムに従って、実行される。
【００７０】
ステップＳ１１にて、図６に示すように、投影部７０により、二次元コード１７０を投影面１７２に投影する。具体的には、投影制御部１１２が、二次元コード格納部１２０から二次元コード１７０をデータとして取得し、投影部７０の液晶パネル（図３（Ａ）の７２）に出力する。そうすると、投影部７０の液晶パネル７２に描画された二次元コード１７０が、投影部７０の光源（図３（Ａ）の７１）からの光により、投影面１７２に投影される。
【００７１】
ステップＳ１２にて、操作部１２に撮影指示が入力されたか否かを判定する。すなわち、ユーザの撮影指示入力を待つ。
【００７２】
操作部１２に撮影指示が入力されたとき、ステップＳ１３にて、撮影部１３０により、投影面１７２上の二次元コード１７０を撮影する。撮影された二次元コード１７０は、データとしてＲＡＭ１６に一時的に記憶される。
【００７３】
ステップＳ１４にて、撮影により得られた二次元コード１７０から無線通信設定情報を抽出する。具体的には、情報抽出部１１４が二次元コード１７０をデコードすることにより、無線通信設定情報が得られる。
【００７４】
ステップＳ１５にて、抽出された無線通信設定情報を無線通信部６８に設定する。
【００７５】
ステップＳ１６にて、ＲＡＭ１６内の二次元コードおよび無線通信設定情報をクリアする。
【００７６】
情報セキュリティの観点から、図６に示すように、表示部５０には、二次元コード１７０を表示しても、二次元コード１７０のデコード結果（すなわち無線通信設定情報）は表示しないことが、好ましい。
【００７７】
また、投影制御部１１２にて乱数により二次元コードを変換した後に投影部７０に出力し、情報抽出部１１４にて前記乱数を用いて元の二次元コードに戻すようにしてもよい。
【００７８】
また、二次元コードの撮影（ステップＳ１３）を行った後、無線通信設定部１１６にて二次元コードの照合を行うようにしてもよい。具体的には、二次元コード格納部１２０に格納されている二次元コードと、撮影部１３０の撮影により得られた二次元コードとを照合し、両二次元コードが一致したときには、無線通信設定情報を無線通信部６８に設定する一方で、不一致の場合には、表示部（図２の５０）にてエラー表示を行い、無線通信設定情報の設定は行わない。これにより、二次元コード格納部１２０に格納されている二次元コードとは異なる二次元コードによる誤設定を排除できる。
【００７９】
図５の無線通信設定処理に続いて、アクセスポイント８１との無線通信接続を行ってよいことは、勿論である。例えば、無線通信部６８に設定された暗号キーを用いて、アクセスポイントとの無線通信を行う。
【００８０】
次に、図７に示すように、第１の撮影装置１００ａにて投影面１７２に二次元コード１７０を投影し、その二次元コードを第三者の第２の撮影装置１００ｂにて撮影し、この第２の撮影装置１００ｂの無線通信設定を行う場合について説明する。
【００８１】
図８（Ａ）は、第１の撮影装置１００ａでの投影処理の流れを示すフローチャートである。この処理は、第１の撮影装置１００ａの操作部１２に二次元コードの投影指示が入力されたとき、第１の撮影装置１００ａのＣＰＵ１０により、プログラムに従って、実行される。
【００８２】
ステップＳ２１にて、図７に示すように、第１の撮影装置１００ａの投影部７０により、二次元コード１７０を投影面１７２に投影する。具体的には、投影制御部１１２が、既に第１の撮影装置１００ａにて無線通信設定が完了した二次元コード１７０を、データとして二次元コード格納部１２０から取得し、第１の撮影装置１００ａの投影部７０に出力する。
【００８３】
図８（Ｂ）は、第２の撮影装置１００ｂでの無線通信設定処理の流れを示すフローチャートである。この処理は、第２の撮影装置１００ｂの操作部１２に無線通信設定モードの開始指示が入力されたとき、第２の撮影装置１００ｂのＣＰＵ１０により、プログラムに従って、実行される。
【００８４】
ステップＳ２２にて、第２の撮影装置１００ｂの操作部１２に撮影指示が入力されたか否かを判定する。すなわち、無線通信設定を第２の撮影装置１００ｂに行わせたい第三者の撮影指示入力を待つ。
【００８５】
第２の撮影装置１００ｂの操作部１２に撮影指示が入力されたとき、ステップＳ２３にて、図７に示すように、第２の撮影装置１００ｂの撮影部１３０により、投影面１７２上の二次元コード１７０を撮影する。撮影された二次元コード１７０は、データとして第２の撮影装置１００ｂのＲＡＭ１６に一時記憶される。
【００８６】
ステップＳ２４にて、第２の撮影装置１００ｂの情報抽出部１１４により、二次元コード１７０から無線通信設定情報を抽出する。
【００８７】
ステップＳ２５にて、抽出した無線通信設定情報を、第２の撮影装置１００ｂの無線通信設定部１１６により、第２の撮影装置１００ｂの無線通信部６８に設定する。すなわち、第１の撮影装置１００ａと共通の無線通信設定が第２の撮影装置１００ｂにて行われる。
【００８８】
ステップＳ２６にて、第２の撮影装置１００ｂのＲＡＭ１６内の二次元コードおよび無線通信設定情報をクリアする。
【００８９】
なお、二次元コードを二次元コード格納部１２０から取得して投影部７０に設定する場合を例に説明したが、このような場合に本発明は限定されない。例えば、図３（Ｂ）に示しようにパターン固定型の投影部を用いてもよい。この場合、図４の二次元コード格納部１２０を省略できる。
【００９０】
（第２実施形態）
図９は、第２実施形態における第１の撮影装置１００ａおよび第２の撮影装置１００ｂの要部の機能的構成を示すブロック図である。図４に示した構成要素には、同じ符号を付してあり、既に説明した内容は、その説明を省略する。
【００９１】
図９において、第１の撮影装置１００ａは、図４に示した無線通信部６８、情報抽出部１１４および無線通信設定部１１６が無く、第２の撮影装置１００ｂは、図４に示した投影部７０および投影制御部１１２が無い。
【００９２】
本実施形態にて、図８（Ａ）に示した投影処理を第１の撮影装置１００ａのＣＰＵ１０に実行させるとともに、図８（Ｂ）に示した無線通信設定処理を第２の撮影装置１００ｂのＣＰＵ１０に実行させることにより、第２の撮影装置１００ｂの無線通信設定を安全かつ容易に行うことができる。
【００９３】
例えば、第１の撮影装置１００ａにて被写体（例えば花）を撮影してメモリカード４６に画像を記録し、そのメモリカード４６を無線通信部６８が無い第１の撮影装置１００ａから外して第２の撮影装置１００ｂに装着し、第２の撮影装置１００ｂの無線通信部６８によりアクセスポイント８１を介した画像のアップロードを行いたい場合がある。このような場合に図８（Ａ）および（Ｂ）に示した処理を行うことで、第１の撮影装置１００ａから第２の撮影装置１００ｂに無線通信設定情報を通知して、安全かつ容易に第２の撮影装置１００ｂの無線通信設定を行うことが可能になる。
【００９４】
なお、本発明は、本明細書において説明した例や図面に図示された例には限定されず、本発明の要旨を逸脱しない範囲において、各種の設計変更や改良を行ってよいのはもちろんである。
【００９５】
第１実施形態および第２実施形態において、投影部として、自動焦点合わせ用の補助光を発光する手段（ＡＦ補助光発光手段）を用いる場合を例に説明したが、本発明はこのような場合に特に限定されない。投影専用の光源を用いて投影を行う場合に本発明を適用できる。
【図面の簡単な説明】
【００９６】
【図１】無線ＬＡＮ通信システムを含む構成例を示すブロック図
【図２】撮影装置のハードウエア構成例を示すブロック図
【図３】（Ａ）はパターン描画型の投影部の説明図、（Ｂ）はパターン固定型の投影部の説明図、（Ｃ）はパネル移動機構を設けた投影部の説明図
【図４】第１実施形態の撮影装置の要部を示す機能ブロック図
【図５】第１実施形態の無線通信設定処理の一例の流れを示すフローチャート
【図６】第１実施形態の無線通信設定処理の一例の説明に用いる説明図
【図７】第１実施形態の無線通信設定処理の他の例の説明に用いる説明図
【図８】第１実施形態の無線通信設定処理の他の例の流れを示すフローチャート
【図９】第２実施形態の撮影装置の要部を示す機能ブロック図
【符号の説明】
【００９７】
１０…ＣＰＵ、１２…操作部、１６…ＲＡＭ、２０…ＥＥＰＲＯＭ、２４…撮影レンズ、３０…撮像素子、５０…表示部、５４…ＡＦ検出部、６０…フラッシュ、６８…無線通信部、７０…投影部、８１…アクセスポイント、１００…撮影装置、１１２…投影制御部、１１４…情報抽出部、１１６…無線通信設定部、１２０…二次元コード格納部、１３０…撮影部
【図１】
2010028274.tif 000003
【図２】
2010028274.tif 000004
【図３】
2010028274.tif 000005
【図４】
2010028274.tif 000006
【図５】
2010028274.tif 000007
【図６】
2010028274.tif 000008
【図７】
2010028274.tif 000009
【図８】
2010028274.tif 000010
【図９】
2010028274.tif 000011